(57)【要約】      （修正有）【課題】クリップで挟んだ被筆記物を傷めることなく鞄や衣服のポケット等に収納することができるバインダを提供する。【解決手段】バインダ１は、筆記台となる板状体２と、板状体に被筆記物を留めるクリップ３と、被筆記物を板状体に向かって押さえる長尺状の押さえ手段４と、押さえ手段を板状体に固定する固定手段５と、を備える。クリップ３は、板状体の表面２１に配置されるとともに被筆記物を留める直線状の直線留め部３５を備える。押さえ手段４は、板状体の表面に配置されるとともに直線留め部３５と平行に配置される押さえ手段本体４０と、固定手段により板状体に固定される被固定部と、を備える。固定手段５は、押さえ手段が全長に亘って直線留め部と平行に配置されるように、被固定部を板状体に固定する。【選択図】図１
0003216506.tif 000002
【実用新案登録請求の範囲】
【請求項１】
板状体と、前記板状体に被筆記物を留めるクリップと、前記被筆記物を前記板状体に向かって押さえる長尺状の押さえ手段と、を備えるバインダであって、
前記押さえ手段を前記板状体に固定する固定手段を備え、
前記クリップは、
前記板状体の表面に配置されるとともに前記被筆記物を留める直線状の直線留め部を備え、
前記押さえ手段は、
前記板状体の表面に配置されるとともに前記直線留め部と平行に配置される押さえ手段本体と、
前記固定手段により前記板状体に固定される被固定部と、を備え、
前記固定手段は、
前記押さえ手段が全長に亘って前記直線留め部と平行に配置されるように、前記被固定部を前記板状体に固定することを特徴とするバインダ。
【請求項２】
請求項１に記載されたバインダにおいて、
前記押さえ手段は、ゴムであり、
前記固定手段は、
前記被固定部を前記板状体の裏面で固定することを特徴とするバインダ。
【請求項３】
請求項１または請求項２に記載されたバインダにおいて、
前記被固定部は、
前記押さえ手段本体の両端に位置し、
前記固定手段は、
２か所の前記被固定部で前記押さえ手段を前記板状体に固定することを特徴とするバインダ。
【考案の詳細な説明】
【技術分野】
【０００１】
本考案は、バインダに関する。
【背景技術】
【０００２】
従来、筆記台となる板状体と、板状体に被筆記物を留めるクリップと、被筆記物を板状体に向かって押さえる押さえ手段と、を備えるバインダが知られている。
例えば、特許文献１に記載されたバインダーは、略矩形状の複数の板（板状体）と、紙（被筆記物）を固定する穴開け式金具（クリップ）と、輪状に形成された紐状の押さえゴム（押さえ手段）と、を備える。
【０００３】
板は、穴開け式金具を板上の任意の位置に設置するための複数の穴と、押さえゴムを任意の位置に設置するための複数の穴と、を備える。また、板は、押さえゴムを任意の位置に引っかけるための複数の切り込みを側面に備える。したがって、複数の穴および複数の切り込みは、板の様々な位置に設けられている。押さえゴムは、穴開け式金具付近の穴に固定され、２か所の切り込みに引っかけることで、板の表面では、穴開け式金具と平行に配置され、板の裏面では、略Ｖ字状に配置される。このため、押さえゴムは、板の表面では、穴開け式金具とともに２辺で紙を板に向かって押さえ、板の裏面では、紙全体を略Ｖ字状に押さえることとなる。これより、屋外で筆記をしたとしても、押さえゴムにより紙がめくれ上がらないため、使用者は安定して筆記をすることができる。
【先行技術文献】
【特許文献】
【０００４】
【特許文献１】特開２００２−１６０４８２号公報
【考案の概要】
【考案が解決しようとする課題】
【０００５】
しかしながら、このようなバインダーは、例えば鞄や衣服のポケット等に収納した場合、板が備える複数の穴や複数の切り込みに鞄の中身や衣服の縫い糸などが引っかかってしまうことがあるという問題がある。また、押さえゴムは、切り込みに引っかけているため、紙を押さえたまま、例えば鞄や衣服のポケット等に収納した場合、切り込みから外れてしまうことがある。切り込みから押さえゴムが外れると、押さえゴムの位置がずれることになる。押さえゴムの位置がずれると、紙には、押さえゴムにて押さえられていない部分が生じる。この押さえゴムにて押さえられていない紙の部分は、鞄や衣服のポケット等の中で引っかかり、めくれ上がったり、折れ曲がったりすることがある。また、紙全体を略Ｖ字状に押さえることで、押さえゴムにて押さえられていない紙の角部も同様に、鞄や衣服のポケット等の中で引っかかり、めくれ上がったり、折れ曲がったりすることがある。これにより、紙が傷んでしまうという問題がある。
【０００６】
本考案の目的は、クリップで挟んだ被筆記物を傷めることなく鞄や衣服のポケット等に収納することができるバインダを提供することである。
【課題を解決するための手段】
【０００７】
本考案のバインダは、板状体と、板状体に被筆記物を留めるクリップと、被筆記物を板状体に向かって押さえる長尺状の押さえ手段と、を備えるバインダであって、押さえ手段を板状体に固定する固定手段を備え、クリップは、板状体の表面に配置されるとともに被筆記物を留める直線状の直線留め部を備え、押さえ手段は、板状体の表面に配置されるとともに直線留め部と平行に配置される押さえ手段本体と、固定手段により板状体に固定される被固定部と、を備え、固定手段は、押さえ手段が全長に亘って直線留め部と平行に配置されるように、被固定部を板状体に固定することを特徴とする。
【０００８】
このような本考案によれば、固定手段は、押さえ手段が全長に亘って直線留め部と平行に配置されるように、被固定部を板状体に固定するため、押さえ手段が所定の位置からずれることを防止することができる。これにより、バインダは、例えば被筆記物の一方の辺と他方の辺との２辺にて、被筆記物を板状体に固定することができる。被筆記物は、平行な２辺が押さえられるため、被筆記物全体が略Ｖ字状に押えられた場合と比べて、めくれ上がりにくくなる。したがって、バインダは、クリップで挟んだ被筆記物を傷めることなく鞄や衣服のポケット等に収納することができる。
また、押さえ手段は、被筆記物を板状体に向かって押さえるため、例えば、風が強い屋外でバインダを使用したとしても、被筆記物がめくれ上がらないため、使用者は安定して筆記をすることができる。
【０００９】
この際、押さえ手段は、ゴムであり、固定手段は、被固定部を板状体の裏面で固定することが好ましい。
【００１０】
ここで、押さえ手段が板状体の表面に配置されるように、被固定部を板状体の表面に固定する場合、被固定部を固定するためのスペースを板状体の表面に確保する必要がある。
しかしながら、本考案によれば、固定手段は、被固定部を板状体の裏面で固定するため、板状体の表面に被固定部を固定するためのスペースを確保する必要がなくなる。したがって、バインダは、板状体にデッドスペースを設けることなく、例えば押さえ手段と平行な方向の板状体の長さ（幅）を短く形成することができるため、板状体の大型化を防ぐとともにコスト削減を図ることができる。また、押さえ手段は、ゴムであるため、例えば押さえ手段がプラスチックや金属などの伸縮しないものである場合と比べて、被筆記物をバインダへ簡単に着脱することができる。
【００１１】
この際、被固定部は、押さえ手段本体の両端に位置し、固定手段は、２か所の被固定部で押さえ手段を板状体に固定することが好ましい。
【００１２】
ここで、固定手段は、押さえ手段本体の両端に位置する被固定部を重ね合わせ、押さえ手段を板状体の裏面の１か所で固定することもできる。この際、クリップは、留め具により板状体の裏面から２か所で固定する場合がある。この場合、固定手段および留め具は、板状体の裏面から突出して形成されるとともに、合計３か所に三角形状に配置される。このため、板状体の裏面を下にしてバインダを置くと、バインダは固定手段および留め具により３点で支えられる。この状態において、支点が１点の部分で筆記をするとバランスを崩しやすく、板状体がグラついて、使用者は安定して筆記ができない場合がある。
【００１３】
しかしながら、本考案によれば、固定手段は、押さえ手段本体の両端に位置する被固定部を板状体の裏面に２か所で固定するため、固定手段および留め具は合計４か所に四角形状に配置されることとなる。したがって、バインダは、支点が１点となる部分が生じず、板状体のどの部分で筆記をしても２点で支えられてバランスがよくなるため、板状体のグラつきを防止し、使用者は安定して筆記をすることができる。
【図面の簡単な説明】
【００１４】
【図１】本考案の一実施形態に係るバインダを示す正面図
【図２】前記バインダを示す背面図
【図３】前記バインダの使用方法を示す図
【考案を実施するための形態】
【００１５】
以下、本考案の一実施形態を図面に基づいて説明する。
図１は、本考案の一実施形態に係るバインダを示す正面図である。また、図２は、バインダを示す背面図である。
バインダ１は、図１に示すように、筆記台となる板状体２と、板状体２に被筆記物であるメモ帳Ｍ（図３参照）を留めるクリップ３と、メモ帳Ｍを板状体２に向かって押さえる押さえ手段４と、押さえ手段４を板状体２に固定する固定手段５と、を備える。
【００１６】
板状体２は、硬質パルプであり、略長方形状に形成されている。具体的には、板状体２は、長手方向（紙面上下方向）である縦方向に１２０ｍｍ、短手方向（紙面左右方向）である横方向に９０ｍｍに形成されている。板状体２は、この大きさに形成されることで、例えばスマートフォンとともにバインダ１を持ち運びすることができる。また、板状体２は手の平サイズであるため、片手で持ちながら筆記をしたり、衣服のポケットに収納したりすることができる。
【００１７】
板状体２の四隅は、弧状に形成されている。このため、板状体２は、硬質パルプで形成したとしても、例えば鞄や衣服のポケット等に引っかかったり、傷をつけたりすることなく、鞄や衣服のポケット等に収納することができる。なお、板状体２は、硬質パルプではなく、プラスチック（樹脂）や金属板、厚紙など、どのようなものを用いてもよい。
板状体２は、表面２１の長手方向の一端側（紙面上方向）の辺の近傍にクリップ３を配置し、クリップ３とは反対側にあたる他端側（紙面下方向）の辺の近傍に押え手段４を配置している。
【００１８】
クリップ３は、板状体２の表面２１に当接する基部３１と、基部３１を板状体２の表面２１に固定する留め具３２と、バネを収納し基部３１の上方（紙面上方向）に配置されるとともに板状体２の短手方向と平行な軸回りに回動自在な回動部３３と、回動部３３から基部３１の下方（紙面下方向）に向かって伸びる腕部３４と、両端を腕部３４と接続し、メモ帳Ｍを留める直線状の直線留め部３５と、を備える。
留め具３２は、板状体２に孔をあけ、表面２１から裏面２２（図２参照）に向かって基部３１を介してクリップ３を板状体２に固定する鋲である。なお、留め具３２は、鋲ではなく、接着剤であってもよい。クリップ３を板状体２に固定できればどのようなものであってもよい。
【００１９】
回動部３３は、収納されたバネにより、腕部３４を介して直線留め部３５を板状体２に向かって付勢する。なお、回動部３３はバネを有していなくてもよく、直線留め部３５を板状体２に向かって付勢することができればどのようなものであってもよい。
直線留め部３５は、一本の金属棒にて形成され、板状体２の短手方向と平行となるように配置されている。なお、直線留め部３５は、一本ではなく複数本にて複数か所でメモ帳Ｍ（被筆記物）を留めてもよいし、金属ではなくプラスチックや金属板など、任意にもので形成されていてもよい。要するに、直線留め部は、直線状であればよい。
【００２０】
押さえ手段４は、長さが１２０ｍｍとなるように形成される帯状（長尺状）のゴムであり、直線留め部３５と平行に配置される。押さえ手段４の幅は、固定手段５の直径と同じであるか、固定手段５の直径よりも幅があるものを採用している。なお、押さえ手段４は、帯状のゴムではなく紐状のゴムでもよく、ゴムの幅も、どのような幅であってもよい。押さえ手段４はゴムであれば、どのようなものでもよい。
また、押さえ手段４は、板状体２の表面２１に配置されるとともに直線留め部３５と平行に配置される押さえ手段本体４０と、押さえ手段本体４０の両端に位置し、固定手段５により板状体２の裏面２２固定される被固定部４１，４２と、を備える。
【００２１】
固定手段５は、板状体２の長手方向の他端側から一端側に向かって１８ｍｍ、板状体２の長手方向と平行な辺から板状体２の内側に向かって１０ｍｍのところに配置される。固定手段５は、押さえ手段４が全長に亘って直線留め部３５と平行に配置されるように、被固定部４１，４２を２か所で板状体２の裏面２２に固定することで、押さえ手段４を板状体２に固定する。固定手段５は、例えば鋲（鳩目鋲）であり、板状体２に孔をあけ、裏面２２から表面２１に向かって孔に鳩目鋲を設置することで、板状体２の裏面２２に被固定部４１，４２を介して２か所で押さえ手段４を板状体２に固定する。なお、固定手段５は、鳩目鋲ではなく、接着剤であってもよい。被固定部４１，４２を介して押さえ手段４を板状体２に固定できればどのようなものであってもよい。
【００２２】
固定手段５は、図１では、押さえ手段本体４０にて隠れているが、裏面２２から表面２１に向かって押さえ手段４を固定しているため、板状体２の表面２１に露出している。固定手段５は、押さえ手段４が全長に亘って直線留め部３５と平行に配置されるように押さえ手段４を固定するため、板状体２の表面２１側からバインダ１をみた場合、押さえ手段本体４０は、板状体２の表面２１に露出した固定手段５を隠すように配置される。押さえ手段本体４０は、板状体２の表面２１に露出する固定手段５を隠すことができるため、バインダ１をすっきりみせることができる。したがって、バインダ１は、デザイン性を向上させることができる。
【００２３】
図３は、バインダの使用方法を示す図である。
クリップ３は、図３に示すように、１枚の紙ではなく、被筆記物として複数の紙を束にしたメモ帳Ｍを挟んで留めることができる。メモ帳Ｍは、例えばＡ７サイズである。Ａ７サイズのメモ帳Ｍを板状体２の中央部に設置した場合、板状体２の短手方向には、板状体２とメモ帳Ｍとの間に隙間Ｓが生じる。この際、使用者は、例えば隙間Ｓに図示しない筆記用具を配置し、筆記用具を押さえ手段４で押さえて収納することもできる。これにより、使用者は、筆記用具を紛失することなくバインダ１とともに携帯することができる。なお、メモ帳ＭはＡ７サイズではなく、メモ帳Ｍの両側を数ｍｍ裁断したものを採用してもよい。これにより、隙間Ｓの面積が広くなるため、使用者は、より安定して筆記用具をバインダ１に収納し紛失することなく携帯することができる。
【００２４】
このような本実施形態によれば、以下の作用・効果を奏することができる。
（１）固定手段５は、押さえ手段４が全長に亘って直線留め部３５と平行に配置されるように、被固定部４１，４２を板状体２に固定するため、押さえ手段４が所定の位置からずれることを防止することができる。これにより、バインダ１は、メモ帳Ｍの一方の辺と他方の辺との２辺にて、メモ帳Ｍを板状体２に固定することができる。メモ帳Ｍは、平行な２辺が押さえられるため、メモ帳Ｍ全体が略Ｖ字状に押えられた場合と比べて、めくれ上がりにくくなる。したがって、バインダ１は、クリップ３で挟んだメモ帳Ｍを傷めることなく鞄や衣服のポケット等に収納することができる。
【００２５】
（２）押さえ手段４は、メモ帳Ｍを板状体２に向かって押さえるため、例えば、風が強い屋外でバインダを使用したとしても、メモ帳Ｍがめくれ上がらないため、使用者は安定して筆記をすることができる。
（３）固定手段５は、被固定部４１，４２を板状体２の裏面２２で固定するため、板状体２の表面２１に被固定部４１，４２を固定するためのスペースを確保する必要がなくなる。したがって、バインダ１は、板状体２にデッドスペースを設けることなく、例えば押さえ手段４と平行な方向の板状体２の長さ（幅）を短く形成することができるため、板状体２の大型化を防ぐとともにコスト削減を図ることができる。
【００２６】
（４）押さえ手段４は、ゴムであるため、押さえ手段がプラスチックや金属などの伸縮しないものである場合と比べて、メモ帳Ｍをバインダ１へ簡単に着脱することができる。
（５）固定手段５は、押さえ手段本体４０の両端に位置する被固定部４１，４２を板状体２の裏面２２に２か所で固定するため、固定手段５および留め具３２は合計４か所に四角形状に配置されることとなる。したがって、バインダ１は、支点が１点となる部分が生じず、板状体２のどの部分で筆記をしても２点で支えられるため、板状体２のグラつきを防止し、使用者は安定して筆記をすることができる。
【００２７】
〔実施形態の変形〕
なお、本考案は前記実施形態に限定されるものではなく、本考案の目的を達成できる範囲での変形、改良等は本考案に含まれるものである。
例えば、前記実施形態では、板状体２は、略長方形状に形成され、縦方向に１２０ｍｍ、横方向に９０ｍｍに形成されていたが、板状体は、どのような形状に形成されていてもよい。また、板状体２の四隅は、弧状に形成されていたが、弧状に形成されていなくてもよく、さらに、四隅を保護するための保護部材を備えていてもよい。また、押さえ手段４は、長さが１２０ｍｍとなるように形成されていたが、押さえ手段は、どのような長さや幅で形成されていてもよい。
【００２８】
前記実施形態では、固定手段５は、板状体２の長手方向の他端側から一端側に向かって１８ｍｍ、板状体２の長手方向と平行な辺から板状体２の内側に向かって１０ｍｍのところに配置されていたが、固定手段は、押さえ手段が全長に亘って直線留め部と平行に配置されるように、押さえ手段を板状体に固定することができれば、どのような位置に配置されていてもよい。また、クリップ３は、被筆記物としてメモ帳Ｍを挟んでいたが、クリップは被筆記物であれば、どのようなものを挟んでもよい。すなわち、被筆記物は、メモ帳Ｍではなく、紙やフィルムなど、被筆記物であれば、どのようなものでもよい。
【００２９】
前記実施形態では、固定手段５は、被固定部４１，４２を板状体２の裏面２２で固定していたが、板状体２の表面２１で固定してもよいし、板状体２の側面で固定してもよい。また、固定手段５は、被固定部４１，４２の２か所で押さえ手段４を固定していたが、被固定部４１，４２を重ね合わせて１か所で固定してもよく、さらに、被固定部の位置を増やして複数か所で押さえ手段を固定してもよい。これに伴い、被固定部４１，４２は、押さえ手段本体４０の両端に位置していたが、被固定部は、固定手段により板状体に固定できれば、押さえ手段のどの部分に位置していてもよい。要するに、固定手段は、押さえ手段が全長に亘って直線留め部と平行に配置されるように、被固定部を板状体に固定することができればよい。
前記実施形態では、押さえ手段４はゴムであったが、ゴムではなく、プラスチックや金属であってもよい。この際、例えば押さえ手段がプラスチックであった場合、板状体２の長手方向に沿ってスライドさせることで押さえ手段として機能させてもよい。
【産業上の利用可能性】
【００３０】
以上のように、本考案は、バインダに広く適用できる。
【符号の説明】
【００３１】
１…バインダ，２…板状体，３…クリップ，４…押さえ手段，５…固定手段，２１…表面，２２…裏面，３５…直線留め部，４０…押さえ手段本体，４１，４２…被固定部
【図１】
0003216506.tif 000003
【図２】
0003216506.tif 000004
【図３】
0003216506.tif 000005